(57)【要約】【課題】洗浄機本体の置き台への設置が極めて容易な食器洗浄機の設置方法を提供する。【解決手段】前方に開口部１６ａを、底面に脚１６ｂをそれぞれ有し箱状体に形成された洗浄機本体１６と、スライドレール１８により開口部１６ａから前後方向に出入り自在に洗浄機本体１６に収容される洗浄槽１７を備えた食器洗浄機の置き台２３への設置方法において、脚１６ｂの高さと同等もしくはそれより低い高さの凸状部材Ａ２５を置き台２３の上面に取り付け、洗浄機本体１６を置き台２３に載置し、洗浄機本体１６の前面に当接する部材Ｂ２７を凸状部材Ａ２５に前方よりねじ止めして、洗浄機本体１６の前方への移動を阻止するようにしたもので、凸状部材Ａ２５の置き台２３への取り付け、洗浄機本体１６が前方に移動するのを防止する部材Ｂ２７の取り付けが極めて容易で施工作業性が著しく向上するものである。【選択図】図１
2006020917.tif 000002
【特許請求の範囲】
【請求項１】
前方に開口部を、底面に脚をそれぞれ有し箱状体に形成された洗浄機本体と、スライドレールにより前記開口部から前後方向に出入り自在に前記洗浄機本体に収容される洗浄槽を備えた食器洗浄機の置き台への設置方法において、前記脚の高さと同等もしくはそれより低い高さの凸状部材Ａを前記置き台の上面に取り付け、前記洗浄機本体を前記置き台に載置し、前記洗浄機本体の前面に当接する部材Ｂを前記凸状部材Ａに前方よりねじ止めして、前記洗浄機本体の前方への移動を阻止するようにした食器洗浄機の設置方法。
【請求項２】
凸状部材Ａを、洗浄機本体の両側面の前方近傍に位置するように置き台に取り付けることを特徴とする請求項１に記載の食器洗浄機の設置方法。
【請求項３】
少なくとも１対の凸状部材Ａを、左右に分離して置き台に取り付けることを特徴とする請求項１又は２に記載の食器洗浄機の設置方法。
【請求項４】
凸状部材Ａを、左右の端部に凸部を設けた一体部品で形成したことを特徴とする請求項１又は２に記載の食器洗浄機の設置方法。
【発明の詳細な説明】
【技術分野】
【０００１】
本発明は、洗浄機本体から洗浄槽をスライドさせて出し入れする食器洗浄機の設置方法に関するもので、特に食器洗浄機の置き台への設置方法に関するものである。
【背景技術】
【０００２】
食器類を収容して洗浄する洗浄槽をスライドレールにより洗浄機本体から前後方向に出し入れするスライドオープン型の食器洗浄機は、キッチンキャビネットにビルトインして食器洗浄機を備えたシステムキッチンの構築に好適な形態である。このように洗浄槽を洗浄機本体から出し入れする形態の食器洗浄機の従来例について以下に説明する。
【０００３】
図７に示すように、食器洗浄機本体１は、前方に開口部１ａを有するとともに、スライドレール２を介して洗浄槽３を前後方向に移動可能に支持している。洗浄槽３は、上方に開口部３ａを有し、洗浄槽３の前方に扉４を取り付けており、食器洗浄機本体１の開口部１ａを開閉する。食器洗浄機本体１の上方に蓋体６を取り付け、この蓋体６は弾性体７によって食器洗浄機本体１と連結されている。食器洗浄機本体１の底面には脚８を取りつけている。
【０００４】
洗浄槽３内には、食器９を配置する食器かご１０を収納している。また、洗浄槽３内には、洗浄槽３内の洗浄水を加熱する加熱手段としてヒータ（図示せず）を設け、洗浄槽３の背面に洗浄ポンプ１１を設け、洗浄ノズル１２より洗浄水を噴射して食器かご１０に収納した食器９を洗浄するように構成されている（例えば、特許文献１参照）。
【０００５】
次に、従来の食器洗浄機の置き台への設置方法について述べる。
【０００６】
１３は食器洗浄機の給水、排水等の配管（図示せず）を内蔵した置き台で、食器洗浄機本体１はこの置き台１３の上面に設置されている。洗浄槽３を引き出すとき、食器洗浄機本体１が置き台１３の上で前方に移動するのを防止する必要がある。
【０００７】
そのため、食器洗浄機本体１を置き台１３に設置する前に、図８に示すように置き台１３の上面に１対のねじ１４を固定し、食器洗浄機本体１を置き台１３に設置し、その後、洗浄槽３を引き出し、図９に示すように、洗浄槽３の下面から金具１５の切込み部１５ａをねじ１４にはめ込み、置き台１３に固定していた。
【０００８】
図１０は、食器洗浄機本体１を置き台１３に設置した時の要部断面図で、図に示すように金具１５が、食器洗浄機本体１の前面に当接し、食器洗浄機本体１が前方に移動するのを防止するようにしていた。
【特許文献１】特開２００１−６１７４６号公報
【発明の開示】
【発明が解決しようとする課題】
【０００９】
しかしながら、上記従来の食器洗浄機の置き台への設置方法では、食器洗浄機本体１を置き台１３に設置後、金具１５を取り付け必要があるが、その金具１５を取り付けるために洗浄槽３を引き出した状態でかつ洗浄槽３の下からもぐりこんで作業しなければならず、また、金具１５の切込み部１５ａにねじ１４をはめ込む作業は、ねじ１４、及び金具１５の切込み部１５ａが見えにくいため、手探りの状態でしなければならず、極めて施工作業性が悪いという課題を有していた。
【００１０】
本発明は、上記従来の課題を解決するもので、置き台への設置が容易で、施工品質が向上した食器洗浄機の設置方法を提供することを目的としている。
【課題を解決するための手段】
【００１１】
上記目的を達成するために、本発明の食器洗浄機の設置方法は、前方に開口部を、底面に脚をそれぞれ有し箱状体に形成された洗浄機本体と、スライドレールにより前記開口部から前後方向に出入り自在に前記洗浄機本体に収容される洗浄槽を備えた食器洗浄機の置き台への設置方法において、前記脚の高さと同等もしくはそれより低い高さの凸状部材Ａを前記置き台の上面に取り付け、前記洗浄機本体を前記置き台に載置し、前記洗浄機本体の前面に当接する部材Ｂを前記凸状部材Ａに前方よりねじ止めして、前記洗浄機本体の前方への移動を阻止するようにしたもので、食器洗浄機本体が前に移動することを阻止する部材Ｂを前面から容易に、しかも確実にねじ止めできるので、施工作業性が向上し、施工の品質も大幅に向上する。
【発明の効果】
【００１２】
本発明の食器洗浄機の設置方法は、洗浄槽を引き出した時洗浄機本体が前方に移動することを防止するための部材Ａを、洗浄機本体を置き台に設置する前に固定し、部材Ｂを前面からねじ止めすることにより、施工作業性が楽になり、施工品質が向上することができる。
【発明を実施するための最良の形態】
【００１３】
第１の発明は、前方に開口部を、底面に脚をそれぞれ有し箱状体に形成された洗浄機本体と、スライドレールにより前記開口部から前後方向に出入り自在に前記洗浄機本体に収容される洗浄槽を備えた食器洗浄機の置き台への設置方法において、前記脚の高さと同等もしくはそれより低い高さの凸状部材Ａを前記置き台の上面に取り付け、前記洗浄機本体を前記置き台に載置し、前記洗浄機本体の前面に当接する部材Ｂを前記凸状部材Ａに前方よりねじ止めして、前記洗浄機本体の前方への移動を阻止するようにしたもので、食器洗浄機本体が前に移動することを阻止する部材Ｂを前面から容易に、しかも確実にねじ止めできるので、施工作業性が向上し、施工の品質も大幅に向上する。
【００１４】
第２の発明は、特に、第１の発明の凸状部材Ａを、洗浄機本体の両側面の前方近傍に位置するように置き台に取り付けるもので、洗浄槽を洗浄機本体から引き出したとき、洗浄槽内の食器等の重さを含む洗浄槽全体の重さがスライドレールを介して洗浄機本体に加わり、洗浄機本体は底面に設けた脚により支えているが、洗浄槽が引き出された状態では、重心が前に移動しているためすべての加重が前側の脚に加わることになり、洗浄機本体の底面の脚近傍が加重に耐えられなくなり、洗浄機本体の底面が変形すると、凸状部材Ａにより加重が支えられ、洗浄槽の前下がりを防止することができる。このため洗浄槽を押し込むときも大きな力を必要とせず、操作性を軽くすることができる。
【００１５】
第３の発明は、特に、第１又は第２の発明の少なくとも１対の凸状部材Ａを、左右に分離して置き台に取り付けるもので、個々の凸状部材の形状が小さくなり、コスト的に安価に形成でき、又施工作業性の向上及び洗浄槽の加重を支えることができ、洗浄槽の操作性が改善され使い勝手を向上することができる。
【００１６】
第４の発明は、特に、第１又は第２の発明の凸状部材Ａを、左右の端部に凸部を設けた一体部品で形成したもので、凸状部材を置き台に取り付けるときの位置が左右でずれることが無く、また左右の凸状部分が一体となっているため、置き台に固定するとき２本のねじで固定でき、より作業性の向上を図ることができる。また同様に凸部で洗浄槽の加重を支えることができ、洗浄槽の操作性が改善され使い勝手を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における食器洗浄機の縦断面図、図２は、同食器洗浄機の部分拡大図である。
【００１９】
図１において、洗浄機本体１６は、前方に開口部１６ａを有し箱状体に形成され、洗浄機本体１６内に、上方を開口した洗浄槽１７をスライドレール１８により、洗浄機本体１６の開口部１６ａから前後方向に出入り自在に収容し、引き出し終端位置まで引き出しできるように構成されている。
【００２０】
図１に示す設置状態は、上面にカウンタートップ１９を設けたキッチンキャビネットにビルトインした状態を示すものである。この洗浄機本体１６は、図示するようにキッチンキャビネット内にビルトインすることが基本的な設置形態であるが、洗浄機本体１６を設置場所の台の上に固定して使用することもできる。
【００２１】
洗浄槽１７は樹脂成型によって形成され、前面にドアパネル２０を取り付けている。洗浄槽１７の底部に洗浄ノズル２１、ヒーター（図示せず）を配設している。その上方には、食器類を収納する食器かご２２を着脱自在に配置している。また洗浄槽１７の後面には、特に図示しないが、洗浄水を給・排水する構成部品が配設されている。
【００２２】
また置き台２３は、洗浄機本体１６を設置するためのものであり、後部に固定金具２４を設けており、洗浄槽１７を引き出したとき洗浄機本体１６が前面に転倒しないように洗浄機本体１６の後部を保持している。
【００２３】
図２に示すように、置き台２３の前方上面には、洗浄機本体１６の底面の脚１６ｂとほぼ同等の高さを有する凸状部材Ａ２５がねじ２６で固定されている。凸状部材Ａ２５の前方には、ねじ止め用の穴２５ａが設けられている。さらに板状の部材Ｂ２７がねじ２８で凸状部材Ａ２５の穴２５ａにねじ止めされている。このとき部材Ｂ２７が洗浄機本体１６の前面に当接する位置になるように凸状部材Ａ２５を置き台２３に予めねじ止めしておく。
【００２４】
上記構成における、食器洗浄機の設置方法について説明する。
【００２５】
洗浄機本体１６を置き台２３に設置する前に、まず置き台２３の前方上面に凸状部材Ａ２５をねじ２６でねじ止めする。次に、洗浄機本体１６を置き台２３に設置する。このとき置き台２３の後部に設けた固定金具２４が洗浄機本体１６の後部にはまり込み、洗浄機本体１６が、前面に転倒することを防止する。その後、洗浄槽１７を引き出し、前面から部材Ｂ２７をねじ２８で凸状部材Ａ２５に固定する。
【００２６】
この部材Ｂ２７は、洗浄機本体１６の前面下部に当接しており、洗浄機本体１６が前方に移動することを防止することができる。
【００２７】
以上のように本実施の形態によれば、洗浄機本体１６の前面から部材Ｂ２７をねじ止めすることができ、洗浄機本体１６が前方に移動することを防止するための施工が簡単に行うことができ、施工作業性が大幅に向上する。また部材Ｂ２７の取り付け状態が目で楽に確認でき、施工品質を向上することができるものである。
【００２８】
（実施の形態２）
図３は、本発明の第２の実施の形態における食器洗浄機の部分拡大図、図４は、同食器洗浄機の部分拡大図である。なお、上記第１の実施の形態と同一部分については、同一符号を付してその説明を省略する。
【００２９】
本実施の形態は、図３、図４に示すように、洗浄機本体１６の前面両サイドに飾り板２９を固定し、置き台２３上に、脚１６ｂと同等の高さもしくは少し低い高さの凸状部材Ａ３０を洗浄機本体１６の両側面近傍の前方に位置するようにねじ３０ａでねじ止めすると共に、その凸状部材Ａ３０のねじ止め位置は、凸状部材Ａ３０に部材Ｂ３１をねじ３２でねじ止めした時に、その部材Ｂ３１が、飾り板２９に当接する位置とするものである。
【００３０】
上記構成における食器洗浄機の設置方法は、以下の通りである。
【００３１】
洗浄機本体１６を置き台２３に設置する前に、まず置き台２３の前方上面に凸状部材Ａ３０をねじ止めする。その後洗浄機本体１６を置き台２３に設置する。このとき置き台２３の後部の固定金具２４が洗浄機本体１６にはまり込み、洗浄機本体１６が前面に転倒することを防止する。
【００３２】
その後、洗浄槽１７を引き出し、洗浄機本体１６の両側に前方から部材Ｂ３１をねじ３２で凸状部材Ａ３０に固定する。この部材Ｂ３１は、洗浄機本体１６の前面に設けた飾り板２９に当接しているので、洗浄機本体１６が前方に移動することを防止することができる。
【００３３】
このように本実施の形態によれば、前面から部材Ｂ３１をねじ止めすることができるので、洗浄機本体１６が前方に移動することを防止するための施工を簡単に行うことができ、施工作業性が向上する。また部材Ｂ３１の取り付け状態が目で楽に確認でき施工品質を向上させることができる。
【００３４】
また、洗浄槽１７に食器をセットするため洗浄槽１７を引き出すと、洗浄槽１７内の食器の重さが洗浄槽１７を固定しているスライドレール１８を介して洗浄機本体１６に加わることになる。このとき、洗浄槽１７の重心が前方に移動しているため、洗浄機本体１６を前に転倒させる力が働くが、洗浄機本体１６の後部を固定金具２４で支持しているため、洗浄機本体１６が前に転倒することは無いが、洗浄機本体１６に加わった荷重は洗浄機本体１６の前側の脚１６ｂに大きな荷重となって加わることになり、前脚の近傍が変形するほどの大きな加重を受けることになる。これにより脚１６ｂが洗浄機本体１６に食い込むような状態になろうとするが、本実施の形態によれば、洗浄機本体１６の両側面前方に凸状部材Ａ３０を設けたことにより、洗浄機本体１６の加重を脚１６ｂとこの凸状部材Ａ３０の両方で受け、変形を防止することができる。
【００３５】
この変形は洗浄槽１７の引き出しストロークが大きければ大きいほど、荷重が大きくなり洗浄槽１７が前下がりになる寸法が大きくなる。これにより洗浄槽１７を押し込むときスライドレール１８に斜めの力が加わり操作力が大きくなってしまい、操作性が悪くなってしまうが、本実施の形態では、凸状部材Ａ３０によりこれを防止することができ、軽い操作力で操作することができる。
【００３６】
（実施の形態３）
図５は、本発明の第３の実施の形態における食器洗浄機の置き台の斜視図である。なお、上記実施の形態と同一部分については、同一符号を付してその説明を省略する。
【００３７】
図５に示すように、内部に給排水の配管（図示せず）を設けた置き台２３の上面前方に凸状部材Ａ３３を左右に分離してねじ３３ａで固定している。この凸状部材Ａ３３の高さは、洗浄機本体１６の脚１６ｂの高さと同等もしくは少し低い高さにしている。凸状部材Ａ３３の前面には部材Ｂ３４をねじ止めするための穴３３ｂが設けられている。洗浄機本体１６を置き台２３に設置後、部材Ｂ３４を凸状部材Ａ３３にねじ止めすると、洗浄機本体１６前面に部材Ｂ３４が当接し、前方への移動が阻止されるようになっている。
【００３８】
上記構成における食器洗浄機の設置方法について説明する。
【００３９】
洗浄機本体１６を置き台２３に設置する前に、まず置き台２３の前方上面に凸状部材Ａ３３をねじ止めする。その後洗浄機本体１６を置き台２３に設置する。このとき置き台２３の後部の固定金具２４が洗浄機本体１６にはまり込み、洗浄機本体１６が前面に転倒することを防止する。次に、洗浄槽１７を引き出し、部材Ｂ３４を前方からねじで凸状部材Ａ３３に固定する。
【００４０】
この部材Ｂ３４は洗浄機本体１６の前面に当接しており、洗浄機本体１６が前方に移動することを防止する。このように洗浄機本体１６が前方に移動することを防止する凸状部材Ａ３３を左右に分離しているので、個々に小さく形成でき、大変安価に構成することができる。また前面から部材Ｂ３４をねじ止めすることができるので、設置施工が極めて容易で、施工作業性が向上する。
【００４１】
（実施の形態４）
図６は、本発明の第４の実施の形態における食器洗浄機の置き台の斜視図である。なお、上記実施の形態と同一部分については、同一符号を付してその説明を省略する。
【００４２】
上記実施の形態では、洗浄機本体１６の前方への移動を防止するために、置き台２３の上面前部に２つの部材を設けたが、本実施の形態では、図６に示すように、置き台２３の上面前方に、左右に凸部３５ａを形成した１つの部材Ａ３５をねじ３５ｂで固定するようにしたものである。それぞれの凸部３５ａの前方には、部材Ｂ３６をねじ止めする為の穴３５ｃが設けられている。また凸部３５ａの高さは洗浄機本体１６の脚１６ｂの高さと同等もしくは少し低い高さに設定されている。
【００４３】
上記構成における、洗浄機本体１６の設置方法は以下の通りである。
【００４４】
洗浄機本体１６を置き台２３に設置する前に、まず置き台２３の前方上面に部材Ａ３５をねじ３５ｂで固定する。その後洗浄機本体１６を置き台２３に設置する。このとき置き台２３後部の固定金具２４が洗浄機本体１６にはまり込み、洗浄機本体１６が前面に転倒することを防止する。
【００４５】
その後、洗浄槽１７を引き出し、部材Ｂ３６を前方よりをねじ（図示せず）で部材Ａ３５の凸部３５ａに固定すると、洗浄機本体１６の前面に部材Ｂ３６が当接し洗浄機本体１６が前方に移動するのが阻止される。
【００４６】
部材Ａ３５は、左右に凸部３５ａを形成し一体となっているため、置き台２３に固定する場合、ねじ２本で確実に固定でき、かつ、置き台２３に対する左右の凸部３５ａの左右の位置関係がズレることがなく位置が安定する。また前面から部材Ｂ３６をねじ止めすることができるので、洗浄機本体１６が前方に移動することを防止するための施工を簡単に行うことができ、施工作業性を一層向上させることができる。
【産業上の利用可能性】
【００４７】
以上のように、本発明にかかる食器洗浄機の設置方法は、洗浄機本体を置き台に設置する場合の施工作業を簡素化することができ、施工品質が向上するので、本実施の形態で述べた食器洗浄機に限らず、比較的重量の有る引き出し部を備えた、家具、機器、装置を台の上に置く場合に広く適用できるものである。
【図面の簡単な説明】
【００４８】
【図１】本発明の実施の形態１における食器洗浄機の縦断面図
【図２】同食器洗浄機の要部拡大図
【図３】本発明の実施の形態２における食器洗浄機の要部拡大図
【図４】同食器洗浄機の要部拡大図
【図５】本発明の実施の形態３における食器洗浄機の置き台の斜視図
【図６】本発明の実施の形態４における食器洗浄機の置き台の斜視図
【図７】従来の食器洗浄機の縦断面図
【図８】同食器洗浄機を設置する置き台の部分斜視図
【図９】同置き台の部分斜視図（金具を取り付けた状態）
【図１０】同食器洗浄機を置き台に設置した時の部分断面図
【符号の説明】
【００４９】
１６    洗浄機本体
１６ａ  開口部
１６ｂ  脚
１７    洗浄槽
１８    スライドレール
２３    置き台
２５    凸状部材Ａ
２７    部材Ｂ
【図１】
2006020917.tif 000003
【図２】
2006020917.tif 000004
【図３】
2006020917.tif 000005
【図４】
2006020917.tif 000006
【図５】
2006020917.tif 000007
【図６】
2006020917.tif 000008
【図７】
2006020917.tif 000009
【図８】
2006020917.tif 000010
【図９】
2006020917.tif 000011
【図１０】
2006020917.tif 000012